(57)【特許請求の範囲】
【請求項１】
壁面に設置して壁面と逆方向の吹出し空間に気流を発生する涼風機であって、本体内部に電動機と羽根車とケーシングを備えて前記壁面に固定され、前記本体と接続されて内部が前記羽根車からの風路となるダクト部と、前記壁面との間に隙間を有して前記ダクト部に接続される２列の対向するノズル部を有し、前記ノズル部はチャンバと、前記吹出し空間を向くスリット吹出し口を有し、前記スリット吹出し口は互いに平行となる涼風機であって、吹出し空間を向くスリット吹出し口方向と壁面とのなす角度をスリット方向で変化させた涼風機。
【請求項２】
壁面に設置して壁面と逆方向の吹出し空間に気流を発生する涼風機であって、本体内部に電動機と羽根車とケーシングを備えて前記壁面に固定され、前記本体と接続されて内部が前記羽根車からの風路となるダクト部と、前記壁面との間に隙間を有して前記ダクト部に接続される２列の対向するノズル部を有し、前記ノズル部はチャンバと、前記吹出し空間を向くスリット吹出し口を有し、前記スリット吹出し口は互いに平行となる涼風機であって、対向するノズル部が湾曲して２重の環状ノズル部となるよう端部同士を接続し、前記環状ノズル部の内側中心部に本体を備え、本体から放射状に伸びる複数のダクト部で前記環状ノズル部を保持する涼風機。
【発明の詳細な説明】
【技術分野】
【０００１】
本発明は、居室内の天井や壁に設置され、直接風による体感温度の減少や室内空気の循環に使用される扇風機や天井扇などの涼風機に関するものである。
【背景技術】
【０００２】
従来、この種の涼風機は、羽根車とモータを台座となる基部に内包して、基部上部に備えられた円環形状の送風部から床面と水平方向に吹出すようにて空気の循環及び空気の流れを生じさせる家庭用送風機が知られている（例えば、特許文献１参照）。
【０００３】
以下、その送風機について図９および図１０を参照しながら説明する。
【０００４】
図９は、送風機組立体１００をその正面から見た状態で示している。送風機組立体１００は、中央開口部１０２を画定している環状ノズル１０１を有している。環状ノズル１０１を通る空気流を生じさせるモータ１２２がモータハウジング１２６と共に基部１１６の内部に配置されている。さらに、インペラ（羽根車）１３０が、モータ１２２から外方に延びる回転シャフトに連結され、ディフューザ１３２が、インペラ１３０の下流側に位置決めされているモータ１２２は、電気接続部及び電源に接続され、複数個の選択ボタン１２０により、ユーザは、送風機組立体１００を操作することができる。
【０００５】
上記構成において、上述した送風機組立体１００は、以下のように動作する。ユーザが複数個の選択ボタン１２０の中から適当に選択してモータ１２２が駆動される。かくして、モータ１２２が起動され、空気が空気入口１２４を介して送風機組立体１００内に吸い込まれる。空気は、外側ケーシング１１８を通り、インペラ１３０の入口１３４まで流れる。ディフューザ１３２の出口１３６及びインペラ１３０の排気部を出た空気流は、内部通路１１０を通って互いに逆の方向に進む２つの空気流に分けられる。空気流は、これが口１１２に入る際に絞られ、そして口１１２の出口１４４のところで更に絞られる。この絞りにより、システム中に圧力が生じる。このように作られた空気流は、絞りにより生じる圧力に打ち勝ち、空気流は、一次空気流として出口１４４を通って出る。一次空気流は、ガイド部分１４８の配置により、ユーザに向かって集中し又は集束して向けられる。二次空気流は、外部環境、特に出口１４４周りの領域及び環状ノズル１０１の外縁部周りからの空気の同伴によって生じる。この二次空気流は、中央開口部１０２を通り、ここで、一次空気流と混ざり合って送風機組立体１００から前方に放出される全空気流が生じる。
【先行技術文献】
【特許文献】
【０００６】
【特許文献１】特開２０１０−０７７９６９号公報
【発明の概要】
【発明が解決しようとする課題】
【０００７】
このような従来の涼風機では、居室の床置きを前提としており、居室中央に配置すれば背面への気流生成が不可能となり、居室隅に配置すれば遠方への気流到達が困難になり、また、必要な床面の設置スペースのために邪魔になるという課題があった。さらに、壁面近傍への配置においては二次空気の供給が妨げられる可能性もあり、発生気流そのものも弱くなる、という課題があった。
【０００８】
そこで本発明は、上記従来の課題を解決するものであり、省スペースで、居室全体に気流を生成し、壁面取り付けで壁面との最適な相対距離を規定することにより、二次空気の供給が妨げられず、発生気流そのものが弱くならない涼風機を提供することを目的とする。
【課題を解決するための手段】
【０００９】
そして、この目的を達成するために、本発明に係わる涼風機は、壁面に設置して壁面と逆方向の吹出し空間に気流を発生する涼風機であって、本体内部に電動機と羽根車とケーシングを備えて前記壁面に固定され、前記本体と接続されて内部が前記羽根車からの風路となるダクト部と、前記壁面との間に隙間を有して前記ダクト部に接続される２列の対向するノズル部を有し、前記ノズル部はチャンバと、前記吹出し空間を向くスリット吹出し口を有し、前記スリット吹出し口は互いに平行となる涼風機であって、吹出し空間を向くスリット吹出し口方向と壁面とのなす角度をスリット方向で変化させたものであり、これにより所期の目的を達成するものである。
また、本発明に係わる涼風機は、壁面に設置して壁面と逆方向の吹出し空間に気流を発生する涼風機であって、本体内部に電動機と羽根車とケーシングを備えて前記壁面に固定され、前記本体と接続されて内部が前記羽根車からの風路となるダクト部と、前記壁面との間に隙間を有して前記ダクト部に接続される２列の対向するノズル部を有し、前記ノズル部はチャンバと、前記吹出し空間を向くスリット吹出し口を有し、前記スリット吹出し口は互いに平行となるものであり、これにより所期の目的を達成するものである。
【発明の効果】
【００１０】
本発明によれば、省スペースで居室全体に気流を生成し、壁面取り付けで壁面との最適な相対距離を規定することにより、二次空気の供給が妨げられず、発生気流そのものが弱くならずに十分な気流を発生することができる。
【図面の簡単な説明】
【００１１】
【図１】本発明の実施の形態１の涼風機の斜視図
【図２】同涼風機の断面斜視図
【図３】同涼風機の吹出し部の拡大構成図
【図４】通過風量の比を示すグラフ
【図５】スリット吹出し口の開口幅と消費電力、騒音の関係を示すグラフ
【図６】（ａ）ノズル両端部の断面部の拡大構成図、（ｂ）ノズル中央部の断面部の拡大構成図
【図７】本発明の実施の形態２の涼風機の斜視図
【図８】同涼風機の断面斜視図
【図９】従来技術の一例を示す概略図
【図１０】従来技術の一例を示す構成図
【発明を実施するための形態】
【００１２】
本発明の請求項１記載の涼風機は、壁面に設置して壁面と逆方向の吹出し空間に気流を発生する涼風機であって、本体内部に電動機と羽根車とケーシングを備えて前記壁面に固定され、前記本体と接続されて内部が前記羽根車からの風路となるダクト部と、前記壁面との間に隙間を有して前記ダクト部に接続される２列の対向するノズル部を有し、前記ノズル部はチャンバと、前記吹出し空間を向くスリット吹出し口を有し、前記スリット吹出し口は互いに平行となる涼風機であって、吹出し空間を向くスリット吹出し口方向と壁面とのなす角度をスリット方向で変化させた涼風機である。
【００１３】
これにより、ノズルの噴流発生に必要な小風量のエネルギから、誘引効果により、吹出し空間へ送風できる大風量のエネルギを発生できるとともに、天井などの壁面に設置することでスペースを有効利用でき、省スペースで居室全体に気流を生成し、壁面取り付けで壁面との最適な相対距離を規定することにより、二次空気の供給が妨げられず、発生気流そのものが弱くならずに十分な気流を発生することができる。
特に、噴流の方向を変化させることで、空気の動きが拡散して、柔らかい気流を広範囲で送風することができ、広い範囲で快適な空間を生成することができる。
【００１６】
また、本発明の請求項２記載の涼風機は、壁面に設置して壁面と逆方向の吹出し空間に気流を発生する涼風機であって、本体内部に電動機と羽根車とケーシングを備えて前記壁面に固定され、前記本体と接続されて内部が前記羽根車からの風路となるダクト部と、前記壁面との間に隙間を有して前記ダクト部に接続される２列の対向するノズル部を有し、前記ノズル部はチャンバと、前記吹出し空間を向くスリット吹出し口を有し、前記スリット吹出し口は互いに平行となる涼風機である。
これにより、ノズルの噴流発生に必要な小風量のエネルギから、誘引効果により、吹出し空間へ送風できる大風量のエネルギを発生できるとともに、天井などの壁面に設置することでスペースを有効利用でき、省スペースで居室全体に気流を生成し、壁面取り付けで壁面との最適な相対距離を規定することにより、二次空気の供給が妨げられず、発生気流そのものが弱くならずに十分な気流を発生することができる。
特に、対向するノズル部が湾曲して２重の環状ノズル部となるよう端部同士を接続し、前記環状ノズル部の内側中心部に本体を備え、本体から放射状に伸びる複数のダクト部で前記環状ノズル部を保持する涼風機であり、環状ダクトを中心で支えることにより、本体保持部と重心の位置が一致し、片持ち状態で起こる応力集中を抑えるこができるので、保持具としてのダクト部周りに大きな補強がいらず、軽量化や小型化が可能となる。
【００１９】
以下、本発明の実施の形態について図面を参照しながら説明する。
【００２０】
（実施の形態１）
図１に本発明の実施の形態１の涼風機の斜視図、図２に同涼風機を一部断面図とした断面斜視図、図３に同涼風機の吹出し部の断面を示す拡大構成図を示す。
【００２１】
まず、実施の形態１の構成について説明する。
【００２２】
本発明の実施の形態１の涼風機は、図１と図２に示すように、涼風機１は本体としてケーシング２を備え、この内部にケーシング２に固定される電動機３と電動機３によって回転する羽根車４を備え、ケーシング２には羽根車４への空気を供給するための吸込み口５と、壁面としての天井６へ羽根車４が平行となるように備え付けるための接続具７と、ケーシングと接続されて内部が羽根車４からの風路となるダクト部８と、ダクト部８を介して保持される２列の直線的な形状が対向するノズル部９から構成され、羽根車４の直径は３００ｍｍ、ノズル部９はそれぞれ長手方向に５００ｍｍとして天井６に設置したものである。
【００２３】
ここで、ノズル部９は、それぞれチャンバ１０と、天井６に対して垂直下向きのスリット吹出し口１２を２個有し、各スリット吹出し口１２はスリット長手方向に略線形状（図３紙面の垂直方向の線形状）となるが、この各線形状の位置関係を互いに平行とし、矢印のように、噴流１５を吹出し空間１１へ向けて吹出している。各線形状の位置関係を互いに平行とは、各線形状が同一平面状にあることを意味している。
【００２４】
また、図３に示すように、平行となるスリット吹出し口１２の距離Ａを８０ｍｍとし、対向するノズル部９それぞれの天井６との最短距離Ｂ１、Ｂ２を８０ｍｍとしている。
【００２５】
また、ケーシング２は下部に引掛けシーリング、引掛けローゼットと同形状の照明取付具１３を有し、シーリングライトのような照明器具１４が取り付け可能になっている。
【００２６】
また、スリット吹出し口１２の開口幅Ｄを３ｍｍ、吹出風速Ｖを６．５〜７．０ｍ／ｓとしている。
【００２７】
次に実施の形態１の動作を示す。涼風機１は、電動機３により羽根車４が回転されると、羽根車４の送風効果で吸込み口５へ涼風機１の周囲の空気が流れ込み羽根車４の外側へ送られる。この空気はダクト部８を通ってチャンバ１０へ溜められ高圧となり、外部との圧力差でスリット吹出し口１２から噴流１５となって吹出し空間１１へ向けて吹出される。噴流１５は吹出し空間１１で拡散して緩やかな気流となり、サーキュレーション効果や涼風感を得るための気流を天井から発生することになる。
【００２８】
ここで、図４は、ノズル部９と天井との距離Ｂ１、Ｂ２を８０ｍｍ、スリット吹出し口１２からの風量を一定として、ノズル部９間の距離Ａに対する、ノズル部９から１．５ｍ下流面の通過風量の比を示したものであり、距離Ａを８０ｍｍとしているので、多くの下流面風量を発生でき、前述の噴流１５を少ないエネルギで効率よく発生できる構成となっている。
【００２９】
なお、この傾向は、ノズル部９の間の距離が小さくなるにつれて、ノズル部９の間の空気が引きずられて吹出し空間１１へ追いやられるためにノズル部９間が負圧になり、この負圧が周辺空気を強く誘引してノズル部９間へ供給されることで下流の通過風量が増大していると考えられる。しかし、距離Ａが近づきすぎると、ノズル部９間の風路としての空間が狭くなるため、周辺空気の誘引を妨げるので、距離Ａに対する、ノズル部９から１．５ｍ下流面の通過風量が最適値を持つ関係になる。
【００３０】
また、図５は、スリット吹出し口１２の開口幅Ｄに対するノズル部９の消費電力と本体の騒音値との関係を示したものである。ノズル部９の消費電力はノズル部９の距離１００ｍｍにおける投入送風量と全圧の積から算出している。開口幅Ｄを３ｍｍとしているので、消費電力および騒音値がほぼ最小域となるような構成となっている。
【００３１】
上記構成と動作により、各ノズル部９のスリット吹出し口１２を互いに平行にすることで、スリット吹出し口１２の噴流発生に必要な小風量のエネルギから、誘引効果により、吹き出し空間へ大風量送風できるエネルギを発生できるので、サーキュレーション効果や涼風感を得るために、天井などの壁面に設置することでスペースを有効利用でき、サーキュレーション効果や涼風感が得られる快適な空間を生成することができる。
【００３２】
また、平行となるスリット吹出し口の距離Ａと、対向するノズル部９それぞれの天井６との最接近距離Ｂ１、Ｂ２を、０．６７Ａ＜Ｂ１＜１．３３Ａ、０．４９Ａ＜Ｂ２＜１．３３Ａの範囲内とすることで、図４からスリットノズルからの噴流量と吹出し空間での風量の比の、最大値から８５％の範囲となる効率の良い条件となるので、より省エネで快適な空間の生成を生成することができる。
【００３３】
また、本体下部に照明器具取付け可能な構造とすることで、誘引効果への影響が小さい位置に光源を設けて天井壁面に設置でき、照明付き涼風機として一体化できるので、照明が従来設置されている場所に、照明の機能を保持した状態で涼風機を設置することができ、また本体と重ねる構成としているので小型化になっている。さらに照明取付具１３を引掛けシーリング、引掛けローゼットと同形状としているので、市販の照明を自由に選択できる。
【００３４】
なお、実施の形態１では、スリット吹出し口１２の開口を直線的な形状とし、天井６と垂直方向に向くスリット吹出し口１２としているが、図６の断面図に示すようにノズル両端部１７を図６（ａ）、ノズル中央部１８を図６（ｂ）となるように長手方向に沿って吹出し空間１１の方向に間をなだらかに繋ぐようにノズル角度Ｃを変化させても良い。図６（ａ）ではＣ＝０度、図６（ｂ）ではＣ＝３０度となっており、スリット吹出し口１２の全領域で同一方向に吹出すよりも、噴流の方向を分散させることで、空気の動きが拡散することになるので、柔らかい気流を広範囲で送風することができ、広い範囲で快適な空間を生成することができる。
【００３５】
また、実施の形態１では、各スリット吹出し口１２を天井と垂直方向の同方向で天井と同距離の対称形状としたが、天井との距離が異なる非対称形状でもよく、また各スリット吹出し口１２の方向は同方向でなくてもよく、共にスリット吹出し口１２からの噴流発生に必要な小風量のエネルギから、誘引効果により、吹き出し空間へ大風量送風できるエネルギを発生できるので、サーキュレーション効果や涼風感を得るために、天井などの壁面に設置することでスペースを有効利用でき、サーキュレーション効果や涼風感が得られる快適な空間を生成することができる。
【００３６】
以上のように、特に天井壁に設置することで居室全体に気流を生成し、壁面取り付けで壁面との最適な相対距離を規定することにより、省スペースで省エネかつ快適な空間を生成することができる。
【００３７】
（実施の形態２）
図７に本発明の実施の形態２の涼風機の斜視図、図８に同涼風機を一部断面図とした断面斜視図を示す。実施の形態１と同様の構成要素については同一の符号を付し、その詳細な説明は省略する。
【００３８】
まず、実施の形態２の構成について説明する。
【００３９】
本発明の実施の形態２の涼風機は、図７と図８に示すように、涼風機１はケーシング２の内部にケーシング２に固定される電動機３と電動機３によって回転する羽根車４を備え、ケーシング２には羽根車４への空気を供給するための吸込み口５と、壁面としての天井６へ羽根車４が平行となるように備え付けるための接続具７と、ケーシングと接続されて外側に放射状に配置されて内部が羽根車４からの風路となるダクト部８と、ダクト部８を介して保持される２列に対向する２重の環状ノズル部１６から構成され、羽根車４の直径は３００ｍｍ、環状ノズル部１６は内側の径が６００ｍｍ、外側の径が８００ｍｍとして天井に設置したものである。
【００４０】
ここで、ノズル部９は、それぞれチャンバ１０と、吹出し空間１１を天井６に対して垂直下向きのスリット吹出し口１２を有し、各環状ノズル部１６のスリット吹出し口１２を互いに平行としている。
【００４１】
また、ケーシング２は下部に引掛けシーリング、引掛けローゼットと同形状の照明取付具１３を有し、シーリングライトのような照明器具１４が取り付け可能になっている。
【００４２】
次に実施形態の動作を示す。涼風機１は、電動機３により羽根車４が回転されると、羽根車４の送風効果で吸込み口５へ涼風機１の周囲の空気が流れ込み羽根車４の外側へ送られる。この空気はダクト部８を通ってチャンバ１０へ溜められ高圧となり、外部との圧力差でスリット吹出し口１２から噴流が吹出し空間１１へ向けて吹出される。噴流は吹出し空間１１で拡散して緩やかな気流となり、サーキュレーション効果や涼風感を得るための気流を天井から発生することになる。
【００４３】
上記構成と動作により、各環状ノズル部１６のスリット吹出し口１２を互いに平行にすることで、スリット吹出し口１２の噴流発生に必要な小風量のエネルギから、誘引効果により、吹き出し空間へ大風量送風できるエネルギを発生できるので、サーキュレーション効果や涼風感を得るために、天井などの壁面に設置することでスペースを有効利用でき、省エネで快適な空間を生成することができる。
【００４４】
また、対向するノズルを湾曲して２重の環状ノズル部１６となるよう接続し、環状ノズル部１６の内側中心部に本体を備え、本体から放射状に伸びる複数のダクト部８で前記環状ノズル部１６を保持しているので、実施の形態１のようにダクト部８とノズル部９が片持ち形状となって強いモーメントでダクト部８の付け根に大きな局所的な応力がかかることがなく、環状ノズル部１６とケーシング２をダクト部８で連結して両持ちで支えることにより、本体中心と重心の位置が一致し、片持ち状態で起こるモーメントで局所的な応力集中を抑えることができるので、保持具としてのダクト部８周りに大きな補強がいらず、軽量化や小型化が可能となる。
【産業上の利用可能性】
【００４５】
本発明にかかる涼風機は、特に天井壁に設置することで居室全体に気流を生成し、壁面取り付けで壁面との最適な相対距離を規定することにより、省エネで快適な空間を生成することができるため、住宅用の室内空気の撹拌を目的に使用される各種送風機器等として有用である。
【符号の説明】
【００４６】
１      涼風機
２      ケーシング
３      電動機
４      羽根車
５      吸込み口
６      天井
７      接続具
８      ダクト部
９      ノズル部
１０    チャンバ
１１    吹出し空間
１２    スリット吹出し口
１３    照明取付具
１４    照明器具
１５    噴流
１６    環状ノズル部
１７    ノズル両端部
１８    ノズル中央部
１００  送風機組立体
１０１  環状ノズル
１２０  選択ボタン
１２２  モータ
１２６  モータハウジング
１３０  インペラ
１３２  ディフューザ
１３４  入口
１３６  出口
１４４  出口
１４８  ガイド部分
【図１】
0005879502.tif 000002
【図２】
0005879502.tif 000003
【図３】
0005879502.tif 000004
【図４】
0005879502.tif 000005
【図５】
0005879502.tif 000006
【図６】
0005879502.tif 000007
【図７】
0005879502.tif 000008
【図８】
0005879502.tif 000009
【図９】
0005879502.tif 000010
【図１０】
0005879502.tif 000011